(57)【要約】      （修正有）【課題】複数の要素が１枚のカードに割り当てられているカードゲームにおいて、手持ちのカードを通常より多く減らせるなどの自プレーヤーを有利にさせる工夫や、複数の要素間の関連性を感得させられる工夫を追加したゲーム用カードセットを提供する。【解決手段】ゲーム用カードセットは、２つの要素が１枚のカードに割り当てられているカードを少なくとも２枚以上含み、２つの要素のいずれかの一致性で手持ちのカードを減らしていくゲーム用カードセットであって、２つの要素のうち一方は子音であり、他方は母音であり、子音と母音の組合せによる言語的表記が示されたカードを含む。【選択図】図１
0003232349.tif 000002
【実用新案登録請求の範囲】
【請求項１】
原則として２つの要素が１枚のカードに割り当てられており該２つの要素のいずれかの一致性で手持ちのカードを減らしていくゲーム用カードにおいて、
該２つの要素のうち一方は子音であり、他方は母音であることにより、
子音と母音の組合せによる言語的表記を示したゲーム用カード。
【考案の詳細な説明】
【技術分野】
【０００１】
本考案は、ゲーム用カードに関するものである。
【背景技術】
【０００２】
公知のウノ（UNO）には、専用のカードとして、赤、青、黄、緑の４色の「色カード」と、色指定のない「特殊カード」とを含む計１０８枚のカードがある。ウノの色カードには数字が書かれており、各プレーヤーは、基本的に、順に、場に出されたカードと同じ色または数字のカードを手札から１枚ずつ出していき、誰か１人が手札を全部出し切ったらその時点で終了となるゲームである(非特許文献１)。
【先行技術文献】
【非特許文献】
【０００３】
【非特許文献１】マテル・インターナショナル株式会社「ウノ  商品紹介」,URL=http://mattel.co.jp/toys/uno/
【考案の概要】
【考案が解決しようとする課題】
【０００４】
ＵＮＯのようなゲーム用カードは、特殊なカード等によって他のプレーヤーを妨害できるものの、手持ちのカードを通常より多く減らせるなどのように、自身を有利にさせる手段に乏しい。また、数字の要素と色の要素は、独立しており、数字の要素と色の要素の組合せによって、何か有機的な関連性を感得させるに乏しい。
【０００５】
本考案は、上記種々の事情に鑑みなされたものであり、ＵＮＯのように複数の要素が１枚のカードに割り当てられているカードゲームにおいて、手持ちのカードを通常より多く減らせるなどの自プレーヤーを有利にさせる工夫や、複数の要素間の関連性を感得させられる工夫を追加したゲーム用カードを提供することにある。
【課題を解決するための手段】
【０００６】
本考案は、上記目的を達成するため、請求項１に係るゲーム用カードは、原則として２つの要素が１枚のカードに割り当てられており該２つの要素のいずれかの一致性で手持ちのカードを減らしていくゲーム用カードにおいて、該２つの要素のうち一方は子音であり、他方は母音であることにより、子音と母音の組合せによる言語的表記を示したゲーム用カードであることを特徴とする。
【考案の効果】
【０００７】
本考案のゲーム用カードによれば、２つの要素が１枚のカードに割り当てられるウノのようなゲーム用カードにおいて、該２つの要素のうち一方は子音であり、他方は母音であることにより、子音と母音の組合せによる言語的表記が示されているので、利用者は、２つの要素間の関連性を感得することができる。また、子音と母音の組合せによる言語的表記が示されているので、言語的表記の組合せで言葉を作って複数のカードを同時に出せるルールを作るなどして、手持ちのカードを通常より多く減らせる自プレーヤーに有利な状況をもたらし、一発逆転のチャンスを作り出しゲーム性を高めることができる。
【図面の簡単な説明】
【０００８】
【図１】図１は、「あ」の段の赤色のカード群（９枚）を示した図である。
【図２】図２は、「い」の段の黄色のカード群（９枚）を示した図である。
【図３】図３は、「う」の段の緑色のカード群（９枚）を示した図である
【図４】図４は、「え」の段の紫色のカード群（９枚）を示した図である
【図５】図５は、「お」の段の青色のカード群（９枚）を示した図である
【図６】図６は、赤色、黄色、緑色の特殊カードを示した図である。
【図７】図７は、紫色、青色の特殊カード、および、半濁点、濁点、「を」の黒色のカードを示した図である。
【図８】図８は、「わ」の赤色カード、および、「ん」の黒色カードと、特殊カード（黒色）を示した図である。
【考案を実施するための形態】
【０００９】
以下、図面に基づいて本考案の実施の形態について詳細に説明する。本実施の形態では、ＵＮＯにおいて、本稿案の方法を適用した例を示したものである。そのため、特に言及していない場合は、ＵＮＯのルールでゲームが行われることを想定している。
【００１０】
上述のように、ＵＮＯにおいては、特殊カードを除いては、数字と色の組合せが示された色カードである。本実施の形態では、ＵＮＯにおける０〜９の数字を、あ行〜わ行までの子音に対応付け、ＵＮＯにおける色を、「あ」の段〜「お」の段までの母音に対応付けている。そのため、１枚のカードは、図１〜図５のように、ひらがな５０音のいずれかが表記されている。なお、図１〜図５のように、カタカナを併記してもよく、あ行〜わ行に対応する０〜９の数字を併記してもよく、さらに、ヘボン式等のローマ字を併記してもよい。これにより、利用者は、各種の言語表記が子音と母音の組合せで成り立っていることを、楽しく遊びながら学ぶことができる。
【００１１】
また、ＵＮＯでは、１回のターンにつき、プレーヤーは、１枚のカードしか出せないが、本実施の形態では、言語的表記が示されているので、言語的表記の組合せで言葉を作って複数のカードを同時に出せるルールを作ることができる。たとえば、場のカードが赤色で出されている場合に、「あ」「い」「す」（アイス）と三枚のカードを同時に出すことができるので、手持ちのカードを通常より多く減らすことができる上、（赤色から青色へ）色の変更も行うことができる。
【００１２】
これにより、手持ちに沢山のカードを抱えているプレーヤーであっても、カードの組合せにより言葉を作って、一発逆転のチャンスを得ることができる。
【００１３】
本実施の形態では、各図９枚が示された図１〜図８を２部準備して、合計１４４枚（＝９×８×２）でプレーすることを想定している。図６〜図８において、ＵＮＯと同様の特殊カードを示している。すなわち、各色ごとに、ドローツーや、スキップや、リバースの役カードがあり、いつでも出せるワイルドカードやドローフォーなどの黒色カードも本実施の形態に用意されている。
【００１４】
なお、本実施の形態では、半濁点、濁点、「を」、「ん」を黒色カードにしている。ルールは任意に決めることができるが、例えば、これら黒色カードは、ワイルドカードやドローフォーなどの黒色カードが場に出されているときだけ、出せることにしてもよい。また、言葉づくりで複数のカードを出す場合にだけ、半濁点、濁点、「を」、「ん」の黒色カードを出せるルールとしてもよい。
【００１５】
なお、本考案は、上記実施例の具体的ゲームルールに限定されるものではなく、考案の要旨の範囲内で種々の変形が可能である。即ち、２つの要素の組合せによる言語的表記という基本的機能以外の細部については任意に変更することができる。また、本実施の形態に記載されていなくとも、ＵＮＯのような絵合わせのルールや技術、組数の調整や、特殊（スペシャル）カードの枚数の調整などは、種々変更することが可能であり、これら公知の技術も本考案に含まれる。
【産業上の利用可能性】
【００１６】
本考案により、ＵＮＯのように複数の要素が１枚のカードに割り当てられているカードゲームにおいて、手持ちのカードを通常より多く減らせるなどの自プレーヤーを有利にさせる工夫や、複数の要素間の関連性を感得させられる工夫を追加したゲーム用カードを提供することができる。
【符号の説明】
【００１７】
＋２    ドローツー
＋４    ドローフォー
【図１】
0003232349.tif 000003
【図２】
0003232349.tif 000004
【図３】
0003232349.tif 000005
【図４】
0003232349.tif 000006
【図５】
0003232349.tif 000007
【図６】
0003232349.tif 000008
【図７】
0003232349.tif 000009
【図８】
0003232349.tif 000010
【手続補正書】
【提出日】令和3年4月2日(2021.4.2)
【手続補正１】
【補正対象書類名】実用新案登録請求の範囲
【補正対象項目名】全文
【補正方法】変更
【補正の内容】
【実用新案登録請求の範囲】
【請求項１】
２つの要素が１枚のカードに割り当てられているカードを少なくとも２枚以上含み、該２つの要素のいずれかの一致性で手持ちのカードを減らしていくゲーム用カードセットであって、
該２つの要素のうち一方は子音であり、他方は母音であり、前記子音と前記母音の組合せによる言語的表記が示された前記カードを含むゲーム用カードセット。